(57)【要約】【課題】プリント禁止期間においてもユーザが指定した文書等のプリントを可能にするとともにプリント禁止期間経過後においての不要な電力の消費を防止するようにしたファクシミリ装置およびその制御方法を提供する。【解決手段】プリント禁止期間中に操作パネル５から手動プリント指示があった場合は、画像出力装置９への給電をオンにしてプリント文書を画像出力装置９へ送り、プリント禁止期間中であるにもかかわらず該手動プリント指示に基づくプリント動作を実行する。また、プリント禁止期間中に蓄積したファクシミリ受信文書はプリント禁止期間終了後の初めてのユーザ操作を待ってプリントアウトする。【選択図】　図１
2004080686.tif 000002
【特許請求の範囲】
【請求項１】
プリント禁止期間を設定し、該設定したプリント禁止期間中におけるプリント動作を禁止するプリント禁止機能を有するファクシミリ装置において、
前記プリント禁止期間中に手動プリント指示があった場合は、該プリント禁止期間中であるにもかかわらず該手動プリント指示に基づくプリント動作を実行するプリント制御手段
を具備することを特徴とするファクシミリ装置。
【請求項２】
前記プリント制御手段は、
前記プリント禁止期間中におけるプリント指示を検出する検出手段と、
前記検出手段で検出したプリント指示が自動プリント指示か手動プリント指示かを判別する判別手段と、
前記判別手段により前記プリント指示が自動プリント指示であると判別された場合は、該自動プリント指示に基づくプリント動作を禁止し、手動プリント指示であると判別された場合は、前記プリント禁止期間中であるにもかかわらず該手動プリント指示に基づくプリント動作を実行する制御手段と
を具備することを特徴とする請求項１記載のファクシミリ装置。
【請求項３】
前記プリント指示は、
蓄積手段に蓄積した受信ファクシミリ文書のプリント指示であり、
前記制御手段は、
該プリント指示が自動プリント指示である場合は、該自動プリント指示に基づく前記受信ファクシミリ文書のプリント動作を禁止し、手動操作による手動プリント指示の場合は、前記プリント禁止期間中であるにもかかわらず該手動プリント指示に基づく前記受信ファクシミリ文書のプリント動作を実行する
ことを特徴とする請求項２記載のファクシミリ装置。
【請求項４】
前記プリント指示は、
前記蓄積手段に蓄積した受信ファクシミリ文書のリストのプリント指示であり、
前記制御手段は、
該プリント指示が自動プリント指示である場合は、該自動プリント指示に基づく前記受信ファクシミリ文書のリストのプリント動作を禁止し、手動操作による手動プリント指示の場合は、前記プリント禁止期間中であるにもかかわらず該手動プリント指示に基づく前記受信ファクシミリ文書のリストのプリント動作を実行する
ことを特徴とする請求項２記載のファクシミリ装置。
【請求項５】
前記プリント指示は、
ユーザの操作によるコピー動作に基づくプリント指示であり、
前記制御手段は、
前記プリント禁止期間中であるにもかかわらず該プリント指示に基づくコピー文書のプリント動作を実行する
ことを特徴とする請求項２記載のファクシミリ装置。
【請求項６】
前記プリント指示は、
ユーザの操作によるプリント文書のプリント指示であり、
前記制御手段は、
前記プリント禁止期間中であるにもかかわらず該プリント指示に基づくプリント文書のプリント動作を実行する
ことを特徴とする請求項２記載のファクシミリ装置。
【請求項７】
前記プリント指示は、
ユーザの操作によるレポート文書のプリント指示であり、
前記制御手段は、
前記プリント禁止期間中であるにもかかわらず該プリント指示に基づくレポート文書のプリント動作を実行する
ことを特徴とする請求項２記載のファクシミリ装置。
【請求項８】
プリント禁止期間を設定し、該設定したプリント禁止期間中における蓄積手段に蓄積した受信ファクシミリ文書のプリント動作を禁止するプリント禁止機能を有するファクシミリ装置において、
前記プリント禁止期間経過後における最初のユーザ操作を検出する検出手段と、
前記検出手段の検出出力に基づき前記蓄積手段に蓄積した受信ファクシミリ文書を自動プリントするプリント制御手段と
を具備することを特徴とするファクシミリ装置。
【請求項９】
プリント禁止期間を設定し、該設定したプリント禁止期間中におけるプリント動作を禁止するプリント禁止機能を有するファクシミリ装置の制御方法において、
前記プリント禁止期間中における手動プリント指示を検出し、
該プリント禁止期間中における手動プリント指示を検出した場合は、該プリント禁止期間中であるにもかかわらず該手動プリント指示に基づくプリント動作を実行する
ことを特徴とするファクシミリ装置の制御方法。
【請求項１０】
前記プリント禁止期間中におけるプリント指示を検出し、
該検出したプリント指示が自動プリント指示か手動プリント指示かを判別し、
前記プリント指示が自動プリント指示であると判別された場合は、該自動プリント指示に基づくプリント動作を禁止し、手動プリント指示であると判別された場合は、前記プリント禁止期間中であるにもかかわらず該手動プリント指示に基づくプリント動作を実行する
ことを特徴とする請求項９記載のファクシミリ装置の制御方法。
【請求項１１】
前記プリント禁止期間中におけるプリント指示は、
蓄積手段に蓄積した受信ファクシミリ文書のプリント指示であり、
該プリント指示が自動プリント指示である場合は、該自動プリント指示に基づく前記受信ファクシミリ文書のプリント動作を禁止し、手動操作による手動プリント指示の場合は、前記プリント禁止期間中であるにもかかわらず該手動プリント指示に基づく前記受信ファクシミリ文書のプリント動作を実行する
ことを特徴とする請求項１０記載のファクシミリ装置の制御方法。
【請求項１２】
前記プリント禁止期間中におけるプリント指示は、
前記蓄積手段に蓄積した受信ファクシミリ文書のリストのプリント指示であり、
該プリント指示が自動プリント指示である場合は、該自動プリント指示に基づく前記受信ファクシミリ文書のリストのプリント動作を禁止し、手動操作による手動プリント指示の場合は、前記プリント禁止期間中であるにもかかわらず該手動プリント指示に基づく前記受信ファクシミリ文書のリストのプリント動作を実行する
ことを特徴とする請求項１０記載のファクシミリ装置の制御方法。
【請求項１３】
前記プリント禁止期間中におけるプリント指示は、
ユーザの操作によるコピー動作に基づくプリント指示であり、
該プリント指示が検出された場合は、前記プリント禁止期間中であるにもかかわらず該プリント指示に基づくコピー文書のプリント動作を実行する
ことを特徴とする請求項１０記載のファクシミリ装置の制御方法。
【請求項１４】
前記プリント禁止期間中におけるプリント指示は、
ユーザの操作によるプリント文書のプリント指示であり、
該プリント指示が検出された場合は、前記プリント禁止期間中であるにもかかわらず該プリント指示に基づくプリント文書のプリント動作を実行する
ことを特徴とする請求項１０記載のファクシミリ装置の制御方法。
【請求項１５】
前記プリント禁止期間中におけるプリント指示は、
ユーザの操作によるレポート文書のプリント指示であり、
該プリント指示が検出された場合は、前記プリント禁止期間中であるにもかかわらず該プリント指示に基づくレポート文書のプリント動作を実行する
ことを特徴とする請求項１０記載のファクシミリ装置の制御方法。
【請求項１６】
プリント禁止期間を設定し、該設定したプリント禁止期間中における蓄積手段に蓄積した受信ファクシミリ文書のプリント動作を禁止するプリント禁止機能を有するファクシミリ装置の制御方法において、
前記プリント禁止期間経過後における最初のユーザ操作を検出し、
該ユーザ操作を検出した場合に前記蓄積手段に蓄積した受信ファクシミリ文書を自動プリントする
ことを特徴とするファクシミリ装置の制御方法。
【発明の詳細な説明】
【０００１】
【発明の属する技術分野】
この発明は、ファクシミリ装置およびその制御方法に関し、特に、プリント禁止期間を設定し、該設定したプリント禁止期間中におけるプリント動作を禁止するプリント禁止機能を有するファクシミリ装置の改良に関する。
【０００２】
【従来の技術】
一般に、ファクシミリ装置においてはいつでも受信が可能な状態にするとともに、時刻指定送信などの効率的な送信を実現するために２４時間電源が入れられている。
【０００３】
ところで、このようなファクシミリ装置においては、受信ファクシミリ文書のプリント指示から印字までの期間を短くするために印字手段に常時電力を供給している方式をとるものがある。
【０００４】
しかし、例えば、業務時間外の無人のオフィスなどでは、ファクシミリ文書を受信しても直ちに印字する必要がない場合が多い。
【０００５】
そこで、特開平３−１０２９５８号公報、特開平３−６１６８号公報に開示されているように、省電力化のために、プリント禁止期間を設定し、このプリント禁止期間においては印字手段への電力の供給を遮断し、受信ファクシミリ文書は蓄積手段に蓄積するだけで印字しないようにし、プリント禁止期間が終了すると、蓄積手段に蓄積された文書やそれをリスト化したものなどを自動的に印字するようにしたファクシミリ装置が提案されている。
【０００６】
【発明が解決しようとする課題】
ところが、このようなファクシミリ装置にあっては、プリント禁止期間中におけるファクシミリ文書の手動プリント等のユーザが装置に直接指示するプリント動作も禁止されてしまう。
【０００７】
また、最近のファクシミリ装置においては、ファクシミリ機能だけでなくコピー機能、プリンタ機能等を有するものがあるが、このようなファクシミリ装置においては、プリント禁止期間中におけるコピー機能やプリンタ機能までも制限されてしまう。
【０００８】
また、上記従来のファクシミリ装置においては、プリント禁止期間が終了すると、蓄積手段に蓄積された文書やそれをリスト化したものなどが自動的に印字出力されるので、このファクシミリ装置をプリント禁止期間が終了しても長時間放って置かれる状況、例えば、休日で無人のオフィスであっても、プリント禁止期間が終了すると印字手段に電力が供給され、これにより無駄な電力が消費されることになる。
【０００９】
そこで、この発明は、プリント禁止期間においてもユーザが指定した文書等のプリントを可能にしたファクシミリ装置およびその制御方法を提供することを目的とする。
【００１０】
また、この発明は、プリント禁止期間経過後においての不要な電力の消費を防止するようにしたファクシミリ装置およびその制御方法を提供することを目的とする。
【００１１】
【課題を解決するための手段】
上記目的を達成するため、請求項１の発明は、プリント禁止期間を設定し、該設定したプリント禁止期間中におけるプリント動作を禁止するプリント禁止機能を有するファクシミリ装置において、前記プリント禁止期間中に手動プリント指示があった場合は、該プリント禁止期間中であるにもかかわらず該手動プリント指示に基づくプリント動作を実行するプリント制御手段を具備することを特徴とする。
【００１２】
また、請求項２の発明は、請求項１の発明において、前記プリント制御手段は、前記プリント禁止期間中におけるプリント指示を検出する検出手段と、前記検出手段で検出したプリント指示が自動プリント指示か手動プリント指示かを判別する判別手段と、前記判別手段により前記プリント指示が自動プリント指示であると判別された場合は、該自動プリント指示に基づくプリント動作を禁止し、手動プリント指示であると判別された場合は、前記プリント禁止期間中であるにもかかわらず該手動プリント指示に基づくプリント動作を実行する制御手段とを具備することを特徴とする。
【００１３】
また、請求項３の発明は、請求項２の発明において、前記プリント指示は、蓄積手段に蓄積した受信ファクシミリ文書のプリント指示であり、前記制御手段は、該プリント指示が自動プリント指示である場合は、該自動プリント指示に基づく前記受信ファクシミリ文書のプリント動作を禁止し、手動操作による手動プリント指示の場合は、前記プリント禁止期間中であるにもかかわらず該手動プリント指示に基づく前記受信ファクシミリ文書のプリント動作を実行することを特徴とする。
【００１４】
また、請求項４の発明は、請求項２の発明において、前記プリント指示は、前記蓄積手段に蓄積した受信ファクシミリ文書のリストのプリント指示であり、前記制御手段は、該プリント指示が自動プリント指示である場合は、該自動プリント指示に基づく前記受信ファクシミリ文書のリストのプリント動作を禁止し、手動操作による手動プリント指示の場合は、前記プリント禁止期間中であるにもかかわらず該手動プリント指示に基づく前記受信ファクシミリ文書のリストのプリント動作を実行することを特徴とする。
【００１５】
また、請求項５の発明は、請求項２の発明において、前記プリント指示は、ユーザの操作によるコピー動作に基づくプリント指示であり、前記制御手段は、前記プリント禁止期間中であるにもかかわらず該プリント指示に基づくコピー文書のプリント動作を実行することを特徴とする。
【００１６】
また、請求項６の発明は、請求項２の発明において、前記プリント指示は、ユーザの操作によるプリント文書のプリント指示であり、前記制御手段は、前記プリント禁止期間中であるにもかかわらず該プリント指示に基づくプリント文書のプリント動作を実行することを特徴とする。
【００１７】
また、請求項７の発明は、請求項２の発明において、前記プリント指示は、ユーザの操作によるプリント文書のプリント指示であり、前記制御手段は、前記プリント禁止期間中であるにもかかわらず該プリント指示に基づくプリント文書のプリント動作を実行することを特徴とする。
【００１８】
また、請求項８の発明は、プリント禁止期間を設定し、該設定したプリント禁止期間中における蓄積手段に蓄積した受信ファクシミリ文書のプリント動作を禁止するプリント禁止機能を有するファクシミリ装置において、前記プリント禁止期間経過後における最初のユーザ操作を検出する検出手段と、前記検出手段の検出出力に基づき前記蓄積手段に蓄積した受信ファクシミリ文書を自動プリントするプリント制御手段とを具備することを特徴とする。
【００１９】
また、請求項９の発明は、プリント禁止期間を設定し、該設定したプリント禁止期間中におけるプリント動作を禁止するプリント禁止機能を有するファクシミリ装置の制御方法において、前記プリント禁止期間中における手動プリント指示を検出し、該プリント禁止期間中における手動プリント指示を検出した場合は、該プリント禁止期間中であるにもかかわらず該手動プリント指示に基づくプリント動作を実行することを特徴とする。
【００２０】
また、請求項１０の発明は、請求項９の発明において、前記プリント禁止期間中におけるプリント指示を検出し、該検出したプリント指示が自動プリント指示か手動プリント指示かを判別し、前記プリント指示が自動プリント指示であると判別された場合は、該自動プリント指示に基づくプリント動作を禁止し、手動プリント指示であると判別された場合は、前記プリント禁止期間中であるにもかかわらず該手動プリント指示に基づくプリント動作を実行することを特徴とする。
【００２１】
また、請求項１１の発明は、請求項１０の発明において、前記プリント禁止期間中におけるプリント指示は、蓄積手段に蓄積した受信ファクシミリ文書のプリント指示であり、該プリント指示が自動プリント指示である場合は、該自動プリント指示に基づく前記受信ファクシミリ文書のプリント動作を禁止し、手動操作による手動プリント指示の場合は、前記プリント禁止期間中であるにもかかわらず該手動プリント指示に基づく前記受信ファクシミリ文書のプリント動作を実行することを特徴とする。
【００２２】
また、請求項１２の発明は、請求項１０の発明において、前記プリント禁止期間中におけるプリント指示は、前記蓄積手段に蓄積した受信ファクシミリ文書のリストのプリント指示であり、該プリント指示が自動プリント指示である場合は、該自動プリント指示に基づく前記受信ファクシミリ文書のリストのプリント動作を禁止し、手動操作による手動プリント指示の場合は、前記プリント禁止期間中であるにもかかわらず該手動プリント指示に基づく前記受信ファクシミリ文書のリストのプリント動作を実行することを特徴とする。
【００２３】
また、請求項１３の発明は、請求項１０の発明において、前記プリント禁止期間中におけるプリント指示は、ユーザの操作によるコピー動作に基づくプリント指示であり、該プリント指示が検出された場合は、前記プリント禁止期間中であるにもかかわらず該プリント指示に基づくコピー文書のプリント動作を実行することを特徴とする。
【００２４】
また、請求項１４の発明は、請求項１０の発明において、前記プリント禁止期間中におけるプリント指示は、ユーザの操作によるプリント文書のプリント指示であり、該プリント指示が検出された場合は、前記プリント禁止期間中であるにもかかわらず該プリント指示に基づくプリント文書のプリント動作を実行することを特徴とする。
【００２５】
また、請求項１５の発明は、請求項１０の発明において、前記プリント禁止期間中におけるプリント指示は、ユーザの操作によるレポート文書のプリント指示であり、該プリント指示が検出された場合は、前記プリント禁止期間中であるにもかかわらず該プリント指示に基づくレポート文書のプリント動作を実行することを特徴とする。
【００２６】
また、請求項１６の発明は、プリント禁止期間を設定し、該設定したプリント禁止期間中における蓄積手段に蓄積した受信ファクシミリ文書のプリント動作を禁止するプリント禁止機能を有するファクシミリ装置の制御方法において、前記プリント禁止期間経過後における最初のユーザ操作を検出し、該ユーザ操作を検出した場合に前記蓄積手段に蓄積した受信ファクシミリ文書を自動プリントすることを特徴とする。
【００２７】
【発明の実施の形態】
以下、この発明に係わるファクシミリ装置およびその制御方法の実施の形態を添付図面を参照して詳細に説明する。
【００２８】
図１は、この発明に係わるファクシミリ装置の概略構成を示すブロック図である。
【００２９】
図１において、このファクシミリ装置は、通常のファクシミリ機能に加えて、コピー機能、外部から入力された情報をプリントするプリンタ機能を有するもので、中央演算処理装置（ＣＰＵ）１、主記憶装置２、補助記憶装置３、表示装置４、操作パネル５、ハードディスク（ＨＤＤ）６、画像処理装置７、画像入力装置８、画像出力装置９、給紙装置１０、画像読取装置１１、通信制御装置１２をバスライン１００に接続して構成される。
【００３０】
ここで、中央演算処理装置１は、このファクシミリ装置の伝体動作を統括制御するものである。
【００３１】
また、主記憶装置２は、中央演算処理装置１の制御プログラム等のシステムデータおよび各種データを記憶するものであり、補助記憶装置３は、不揮発性メモリ（ＮＶＲＡＭ）揮発性メモリＲＡＭ）などの各種データを保存可能な記憶装置若しくはその記憶領域を示す。
【００３２】
表示装置４は、このファクシミリ装置の操作状態、動作状態等を表示するものであり、操作パネル５は、このファクシミリ装置に対する各種操作入力を行うもので、この発明に係るプリント禁止期間等の入力設定はこの操作パネル５を用いて行われ、その入力設定状態は表示装置４に表示されてユーザにより確認されるとともに、その入力設定データは補助記憶装置３に記憶される。
【００３３】
ハードディスク６は、主記憶装置２とともに、このファクシミリ装置の主記憶部を構成する。
【００３４】
画像処理装置７は、このファクシミリ装置で制御するう画像データの圧縮／伸長などの処理を行うものである。
【００３５】
画像入力装置８は、公衆回線やローカルエリアネットワーク（ＬＡＮ）などの外部ネットワークから画像データを入力するもので、この画像入力装置８から入力された画像データは、画像処理装置７で圧縮／伸長などの処理が行われ、主記憶装置２またはハードディスク６に蓄積される。
【００３６】
画像出力装置９は、出力画像をプリントアウトするものである。また、給紙装置１０は、複数の給紙トレイで構成され、画像出力装置９からのプリントアウトに際して中央演算処理装置１の制御により適当な給紙トレイを選択して記録紙を画像出力装置９に供給する。
【００３７】
画像読取装置１１は、スキャナなどから構成され、画像データの入力を行う。この画像読取装置１１から入力された画像データは、画像処理装置７で圧縮／伸長などの処理が行われ、主記憶装置２またはハードディスク６に蓄積される。
【００３８】
通信制御装置１２は、外部公衆回線と接続され、ファクシミリ信号の送受信処理を行う。この通信制御装置１２により外部公衆回線から受信したファクシミリ文書は、画像処理装置７で圧縮／伸長などの処理が行われ、主記憶装置２またはハードディスク６に蓄積される。
【００３９】
また、通信制御装置１２は、画像処理装置７で圧縮／伸長などの処理が行われた画像データを外部公衆回線にファクシミリ文書として送信する。
【００４０】
そして、このファクシミリ装置は、通信制御装置１２を介してファクシミリ文書の送受信処理を行うことでファクシミリ機能を実現し、画像読取装置１１で読み取った画像データを画像処理装置７で圧縮／伸長などの処理を行って画像出力装置９へ出力することでコピー機能を実現し、画像入力装置８を介して公衆回線やローカルエリアネットワークなどの外部ネットワークから入力した画像データを画像データを画像処理装置７で圧縮／伸長などの処理を行って画像出力装置９へ出力することでプリンタ機能を実現している。
【００４１】
さて、このファクシミリ装置は、操作パネル５の操作により、画像出力装置９によるプリントアウトを禁止するプリントアウト禁止期間を設定できるように構成されている。
【００４２】
このファクシミリ装置におけるプリントアウト禁止期間の設定は、操作パネル５から図２に示すようなプリント禁止開始時刻およびプリント禁止終了時刻を入力することにより行われる。
【００４３】
図２においては、プリント禁止開始時刻として２２時００分、プリント禁止終了時刻として８時００分が設定される場合を示しており、この場合は、プリントアウト禁止期間として夜の２２時００分から翌朝の８時００分間での間がプリントアウト禁止期間として設定される。
【００４４】
そして、このファクシミリ装置においては、中央演算処理装置１の制御により、上記プリントアウト禁止期間の間のファクシミリ受信等に基づき発生される自動プリント指示に対しては画像出力装置９によるファクシミリ受信文書等のプリントアウトは禁止されるが、その他の手動操作に基づき発生される手動プリント指示は受け付け、この手動操作に基づく手動プリント指示によるプリント動作は実行するように構成されている。
【００４５】
すなわち、このファクシミリ装置は、上記プリントアウト禁止期間中において、ファクシミリ受信機能は動作させておくが、画像出力装置９に対する給電はオフにしておき、ファクシミリ受信があると、この受信したファクシミリ文書は　画像出力装置９からプリントアウトせずに、画像処理装置７で圧縮／伸長などの処理を行って主記憶装置２またはハードディスク６に蓄積する。
【００４６】
しかし、主記憶装置２またはハードディスク６に蓄積された受信ファクシミリ文書を手動で選択して手動出力する手動プリント指示、主記憶装置２またはハードディスク６に蓄積された受信ファクシミリ文書のリストを手動出力する手動プリント指示、公衆回線やローカルエリアネットワークなどの外部ネットワークから入力した画像データを手動出力する手動プリント指示に対しては、上記プリントアウト禁止期間中であっても中央演算処理装置１の制御によりこれを受け付け、画像出力装置９への給電をオンにすることでプリントアウトすることができるように構成されている。
【００４７】
また、中央演算処理装置１の制御により、上記プリントアウト禁止期間が経過してこれが解除されても主記憶装置２またはハードディスク６に蓄積された受信ファクシミリ文書のプリントアウトを直ちに行わず、何らかのユーザ操作があった後上記主記憶装置２またはハードディスク６に蓄積された受信ファクシミリ文書のプリントアウトを行うように構成されている。
【００４８】
その理由は、プリントアウト禁止期間が解除されても何らかのユーザ操作があるまではプリントアウトの必要性はないので、プリントアウト禁止期間が解除されて直ちに蓄積文書のプリントアウトを開始したのでは、ユーザが実際に利用するまでの無駄な消費電力が発生するからである。
【００４９】
図３は、上記中央演算処理装置１によるこのファクシミリ装置の特徴動作を図で示したものである。
【００５０】
図３に示すように、図１に示した操作パネル５で設定したプリント禁止開始時刻になると次のプリント禁止終了時刻までの間がプリントアウト禁止期間として制御される。
【００５１】
そして、このプリントアウト禁止期間に、ファクシミリ受信に対する自動受信プリント指示や自動出力レポートプリント指示があってもこれらの指示は受け付けられず、その結果これらの自動プリント指示に基づく自動受信プリントや自動出力レポートプリントは禁止される。
【００５２】
しかし、このプリントアウト禁止期間であっても、ファクシミリ受信文書の手動プリント指示やコピー操作に基づくプリント指示、プリンタ機能を用いたプリンタプリントは受け付けられ、必要な給電の後に実行される。
【００５３】
このような構成によると、プリントアウト禁止期間であっても、ファクシミリ受信文書の手動プリントやコピー操作に基づくプリント、プリンタ機能を用いたプリンタプリント等は実行することができる。したがって、プリントアウト禁止期間であっても、緊急性を有するファクシミリ受信文書のプリントやコピー、プリンタ機能を用いたプリンタプリントを実行することができる。
【００５４】
また、このプリントアウト禁止期間が経過して、このプリントアウト禁止期間が解除されても、主記憶装置２またはハードディスク６等の蓄積手段に蓄積された受信ファクシミリ文書は直ちにプリントアウトされない。
【００５５】
この主記憶装置２またはハードディスク６等の蓄積手段に蓄積された受信ファクシミリ文書のプリントアウトは、プリントアウト禁止期間終了後のユーザ操作をトリガにして実行される。
【００５６】
このような構成によると、プリントアウト禁止期間が終了しても直ちに蓄積文書の印刷は行われないので、休日等のプリントアウト禁止期間が終了した後ユーザが使用するまでに長い時間があるような場合には有効な省電力化が図れる。
【００５７】
図４は、図１に示したファクシミリ装置の制御の具体例を示すフローチャートである。
【００５８】
図４において、図１に示した中央演算処理装置１はプリント指示があると（ステップ４０１でＹＥＳ）、まず、このプリント指示があった時点がプリント禁止期間中かを調べる（ステップ４０２）。ここで、このプリント指示がプリント禁止期間中でないと（ステップ４０２でＮＯ）、この状態はプリント禁止状態にないので、画像出力装置９にプリント文書を直ちに出力し、通常のプリント処理を実行して（ステップ４０７）、この処理を終了する。
【００５９】
しかし、このプリント指示がプリント禁止期間中であると（ステップ４０２でＹＥＳ）、まず、このプリント指示が、操作パネル５の操作により蓄積受信ファクシミリ文書を選択してプリント指示を行うファクシミリ受信文書手動プリント指示かを調べる（ステップ３０４）。ここで、このプリント指示がファクシミリ受信文書手動プリント指示である場合は（ステップ４０３でＹＥＳ）、プリント禁止期間中であっても画像出力装置９への給電をオンにするとともにプリント文書を画像出力装置９へ送信するプリント処理を実行して（ステップ４０７）、この処理を終了する。
【００６０】
また、ステップ４０３で、このプリント指示がファクシミリ受信文書手動プリント指示でないと判断された場合は（ステップ４０３でＮＯ）、次に、このプリント指示が、操作パネル５の操作にもとづく、蓄積手段に蓄積された受信ファクシミリ文書をリストとして出力するファクシミリレポート手動プリント指示かを調べる（ステップ４０４）。ここで、このプリント指示がファクシミリレポート手動プリント指示である場合は（ステップ４０４でＹＥＳ）、プリント禁止期間中であっても画像出力装置９への給電をオンにするとともにプリント文書を画像出力装置９へ送信するプリント処理を実行して（ステップ４０７）、この処理を終了する。
【００６１】
また、ステップ４０４で、このプリント指示がファクシミリレポート手動プリント指示でないと判断された場合は（ステップ４０４でＮＯ）、次に、このプリント指示が、操作パネル５からのユーザ操作によるコピー文書プリント指示かを調べる（ステップ４０５）。ここで、このプリント指示がコピー文書プリント指示である場合は（ステップ４０５でＹＥＳ）、プリント禁止期間中であっても画像出力装置９への給電をオンにするとともに、画像読取装置１１で読み取ったプリント文書を画像出力装置９へ送信するプリント処理を実行して（ステップ４０７）、この処理を終了する。
【００６２】
また、ステップ４０５で、このプリント指示がコピー文書プリント指示でないと判断された場合は（ステップ４０５でＮＯ）、次に、このプリント指示が、操作パネル５からのユーザ操作によるプリント機能を用いたプリント文書プリント指示かを調べる（ステップ４０６）。ここで、このプリント指示がプリント文書プリント指示でない場合は（ステップ４０６でＮＯ）、この処理を終了するが、このプリント指示がプリント文書プリント指示である場合は（ステップ４０６でＹＥＳ）、プリント禁止期間中であっても画像出力装置９への給電をオンにするとともに、画像入力装置８から入力されたプリント文書を画像出力装置９へ送信するプリント処理を実行して（ステップ４０７）、この処理を終了する。
【００６３】
すなわち、このファクシミリ装置においては、プリント禁止期間中の場合は、受信ファクシミリ文書の自動プリント指示等は受け付けないが、プリント禁止期間中であっても、手動操作に基づく
１）ファクシミリ受信文書手動プリント指示
２）ファクシミリレポート手動プリント指示
３）コピー文書プリント指示
４）プリント文書プリント指示
等は受け付け、画像出力装置９への給電をオンにするとともに、プリント文書を画像出力装置９へ送信してプリント処理を実行する。
【００６４】
図５は、図１に示したファクシミリ装置の制御の他の例を示すフローチャートである。
【００６５】
図５においては、まず、プリント禁止期間中かを調べる（ステップ５０１）。ここで、プリント禁止期間中でない場合は（ステップ５０１でＮＯ）、ステップ５０１に戻るが、プリント禁止期間中であると（ステップ５０１でＹＥＳ）、画像出力装置９への給電をオフにしてプリント動作を禁止し、このプリント禁止期間中に受信したファクシミリ文書を主記憶装置２またはハードディスク６等の蓄積手段に蓄積する（ステップ５０２）。
【００６６】
次に、プリント禁止期間は解除されたか、すなわちプリント禁止期間が経過してプリント禁止期間が解除されたかを調べる（ステップ５０３）。ここで、プリント禁止期間が解除されていないと（ステップ５０３でＮＯ）、ステップ５０１に戻るが、プリント禁止期間が解除されたと判断されると（ステップ５０３でＹＥＳ）、次に、何らかのユーザ操作があったか調べる（ステップ５０４）。
【００６７】
ここで、ユーザ操作がない場合は（ステップ５０４でＮＯ）、ステップ５０４に戻る。この場合は、画像出力装置９への給電をオフにした状態は保たれる。
【００６８】
そして、ステップ５０４でユーザ操作があったと判断されると（ステップ５０４でＹＥＳ）、画像出力装置９への給電をオンにし、主記憶装置２またはハードディスク６等の蓄積手段に蓄積されている受信ファクシミリ文書を画像出力装置９へ送り、これらの受信ファクシミリ文書をプリントアウトする（ステップ５０５）。
【００６９】
なお、上記構成において、ステップ５０５では、蓄積手段に蓄積されている受信ファクシミリ文書をプリントアウトするように構成したが、蓄積手段に蓄積されている受信ファクシミリ文書のリストをレポートとしてプリントアウトするように構成してもよい。
【００７０】
このような構成によると、プリント禁止期間が終了してから初めてのユーザ操作があるまでは、画像出力装置９への給電をオフにした状態が保たれるのでこれにより無駄な消費電力が生じず、省電力が達成される。
【００７１】
【発明の効果】
以上説明したようにこの発明によれば、
１）プリント禁止期間中に手動プリント指示があった場合は、該プリント禁止期間中であるにもかかわらず該手動プリント指示に基づくプリント動作を実行するように構成したので、プリント禁止期間中ににおけるファクシミリ文書の手動プリント等のユーザが装置に直接指示するプリント動作およびユーザ操作に基づくコピー機能やプリンタ機能までも制限されてしまうという不都合が解消できる２）プリント禁止期間中に蓄積したファクシミリ受信文書はプリント禁止期間終了後の初めてのユーザ操作を待ってプリントアウトするように構成したので、プリント禁止期間終了から初めてのユーザ操作間での間の省電力化が可能になる
という効果を奏する。
【図面の簡単な説明】
【図１】この発明に係わるファクシミリ装置の概略構成を示すブロック図である。
【図２】図１に示したファクシミリ装置におけるプリント禁止期間の設定例を示す図である。
【図３】図１に示したファクシミリ装置の特徴動作を示す図である。
【図４】図１に示したファクシミリ装置の制御の具体例を示すフローチャートである。
【図５】図１に示したファクシミリ装置の制御の他の例を示すフローチャートである。
【符号の説明】
１　　中央演算処理装置（ＣＰＵ）
２　　主記憶装置
３　　補助記憶装置
４　　表示装置
５　　操作パネル
６　　ハードディスク（ＨＤＤ）
７　　画像処理装置
８　　画像入力装置
９　　画像出力装置
１０　　給紙装置
１１　　画像読取装置
１２　　通信制御装置
１００　　バスライン
【図１】
2004080686.tif 000003
【図２】
2004080686.tif 000004
【図３】
2004080686.tif 000005
【図４】
2004080686.tif 000006
【図５】
2004080686.tif 000007